(57)【要約】【課題】電力計なしで総消費電力を管理できるシステムの提供。【解決手段】管理サーバは、画像形成装置のモデルごと、状態ごとの消費電力が記述されている消費電力テーブルと、画像形成装置ごとの総消費電力の上限値が定められている消費電力上限値リストとが記憶された記憶部と、画像形成装置から状態に関する状態情報を収集する状態情報取得部と、収集された状態情報と、消費電力テーブルに基づき、画像形成装置ごとの総消費電力を推定する総消費電力推定部と、推定された総消費電力が、消費電力上限値リストに記述された上限値を超えている場合、上限値を超えた画像形成装置に対し消費電力削減指示を出す消費電力削減指示部とを備え、画像形成装置は、管理サーバからの問合せに対し、自装置の状態を返信する状態情報送信部と、管理サーバから受信した消費電力削減指示に基づき自装置の状態をより消費電力の少ない状態へ移行させる状態変更部とを備える。【選択図】図６
2019077076.tif 000002
【特許請求の範囲】
【請求項１】
ネットワーク接続された、管理サーバーと、前記管理サーバーにより管理される１以上の画像形成装置とを含み、
前記管理サーバーは、
前記１以上の画像形成装置と通信可能な第１の通信部と、
前記１以上の画像形成装置のモデルごと、前記１以上の画像形成装置の状態ごとの消費電力が記述されている消費電力テーブルと、前記１以上の画像形成装置ごとの総消費電力の上限値が定められている消費電力上限値リストとが記憶された記憶部と、
前記１以上の画像形成装置の各々から画像形成装置の状態に関する情報を状態情報として収集する状態情報取得部と、
収集された状態情報と、前記消費電力テーブルに基づき、前記１以上の画像形成装置ごとの総消費電力を推定する総消費電力推定部と、
前記推定された総消費電力が、前記消費電力上限値リストに記述された上限値を超えている場合、上限値を超えた画像形成装置に対し、消費電力削減指示を出す消費電力削減指示部と
を備え、
前記１以上の画像形成装置の各々は、
前記管理サーバーと通信可能な第２の通信部と、
前記管理サーバーからの問合せに対し、自装置の状態を前記状態情報として返信する状態情報送信部と、
前記管理サーバーからの前記消費電力削減指示を受信する消費電力削減指示受信部と、
受信した前記消費電力削減指示に基づき自装置の状態をより消費電力の少ない状態へ移行させる状態変更部と
を備えた
情報処理システム。
【請求項２】
請求項１に記載の情報処理システムであって、
前記状態情報取得部は、ＳＮＭＰポーリングにより、前記１以上の画像形成装置の各々から前記状態情報を収集する
情報処理システム。
【請求項３】
請求項１または２に記載の情報処理システムであって、
前記１以上の画像形成装置は、グループにまとめて管理されており、
前記消費電力上限値リストには、前記１以上の画像形成装置が所属する前記グループごとの総消費電力の上限値が定められており、
前記総消費電力推定部は、収集された前記状態情報と、前記消費電力テーブルに基づき、前記グループごとの総消費電力を推定し、
前記消費電力削減指示部は、前記推定された総消費電力が、前記消費電力上限値リストに記述された上限値を超えている場合、上限値を超えたグループ内の画像形成装置に対し、前記消費電力削減指示を出す
情報処理システム。
【請求項４】
ネットワーク接続された、管理サーバーと、前記管理サーバーにより管理される１以上の画像形成装置とを含んだ情報処理システムにおける情報処理方法であって、
前記管理サーバーが、前記１以上の画像形成装置のモデルごと、前記１以上の画像形成装置の状態ごとの消費電力が記述されている消費電力テーブルと、前記１以上の画像形成装置ごとの総消費電力の上限値が定められている消費電力上限値リストとを記憶部に記憶し、
前記管理サーバーが、前記１以上の画像形成装置の各々から画像形成装置の状態に関する情報を状態情報として収集し、
前記管理サーバーが、収集された状態情報と、前記消費電力テーブルに基づき、前記１以上の画像形成装置ごとの総消費電力を推定し、
前記推定された総消費電力が、前記消費電力上限値リストに記述された上限値を超えている場合、前記管理サーバーが、上限値を超えた画像形成装置に対し、消費電力削減指示を出し、
前記消費電力削減指示を受信した画像形成装置が、受信した前記消費電力削減指示に基づき自装置の状態をより消費電力の少ない状態へ移行させる
情報処理方法。
【発明の詳細な説明】
【技術分野】
【０００１】
本発明は、接続された機器の消費電力を管理する情報処理システムおよび情報処理方法に関する。
【背景技術】
【０００２】
従来、ネットワーク接続された数多くの電子機器の消費電力をサーバーでまとめて管理することが行われてきた（例えば、特許文献１参照）。
【先行技術文献】
【特許文献】
【０００３】
【特許文献１】特開２００８−１６７５４４号公報
【発明の概要】
【発明が解決しようとする課題】
【０００４】
しかし、特許文献１の技術では、ネットワーク接続された数多くの電子機器の総消費電力を計測するために電力計を用意し、実際の消費電力を計測しなければならなかった。
【０００５】
以上のような事情に鑑み、本発明の目的は、電力計なしで総消費電力を管理できる情報処理システムおよび情報処理方法を提供することにある。
【課題を解決するための手段】
【０００６】
上記目的を達成するため、本発明の一形態に係る情報処理システムは、ネットワーク接続された、管理サーバーと、前記管理サーバーにより管理される１以上の画像形成装置とを含み、前記管理サーバーは、前記１以上の画像形成装置と通信可能な第１の通信部と、前記１以上の画像形成装置のモデルごと、前記１以上の画像形成装置の状態ごとの消費電力が記述されている消費電力テーブルと、前記１以上の画像形成装置ごとの総消費電力の上限値が定められている消費電力上限値リストとが記憶された記憶部と、前記１以上の画像形成装置の各々から画像形成装置の状態に関する情報を状態情報として収集する状態情報取得部と、収集された状態情報と、前記消費電力テーブルに基づき、前記１以上の画像形成装置ごとの総消費電力を推定する総消費電力推定部と、前記推定された総消費電力が、前記消費電力上限値リストに記述された上限値を超えている場合、上限値を超えた画像形成装置に対し、消費電力削減指示を出す消費電力削減指示部とを備え、前記１以上の画像形成装置の各々は、前記管理サーバーと通信可能な第２の通信部と、前記管理サーバーからの問合せに対し、自装置の状態を前記状態情報として返信する状態情報送信部と、前記管理サーバーからの前記消費電力削減指示を受信する消費電力削減指示受信部と、受信した前記消費電力削減指示に基づき自装置の状態をより消費電力の少ない状態へ移行させる状態変更部とを備える。
【０００７】
そのため、電力計なしで総消費電力を管理できる。
【０００８】
上記目的を達成するため、本発明の一形態に係る情報処理システムでは、前記状態情報取得部は、ＳＮＭＰポーリングにより、前記１以上の画像形成装置の各々から前記状態情報を収集する構成でもよい。
【０００９】
上記目的を達成するため、本発明の一形態に係る情報処理システムでは、前記１以上の画像形成装置は、グループにまとめて管理されており、前記消費電力上限値リストには、前記１以上の画像形成装置が所属する前記グループごとの総消費電力の上限値が定められており、前記総消費電力推定部は、収集された前記状態情報と、前記消費電力テーブルに基づき、前記グループごとの総消費電力を推定し、前記消費電力削減指示部は、前記推定された総消費電力が、前記消費電力上限値リストに記述された上限値を超えている場合、上限値を超えたグループ内の画像形成装置に対し、前記消費電力削減指示を出す構成でもよい。
【００１０】
上記目的を達成するため、本発明の一形態に係る情報処理方法は、ネットワーク接続された、管理サーバーと、前記管理サーバーにより管理される１以上の画像形成装置とを含んだ情報処理システムにおける情報処理方法であって、前記管理サーバーが、前記１以上の画像形成装置のモデルごと、前記１以上の画像形成装置の状態ごとの消費電力が記述されている消費電力テーブルと、前記１以上の画像形成装置ごとの総消費電力の上限値が定められている消費電力上限値リストとを記憶部に記憶し、前記管理サーバーが、前記１以上の画像形成装置の各々から画像形成装置の状態に関する情報を状態情報として収集し、前記管理サーバーが、収集された状態情報と、前記消費電力テーブルに基づき、前記１以上の画像形成装置ごとの総消費電力を推定し、前記推定された総消費電力が、前記消費電力上限値リストに記述された上限値を超えている場合、前記管理サーバーが、上限値を超えた画像形成装置に対し、消費電力削減指示を出し、前記消費電力削減指示を受信した画像形成装置が、受信した前記消費電力削減指示に基づき自装置の状態をより消費電力の少ない状態へ移行させる。
【発明の効果】
【００１１】
以上のように、本発明によれば、電力計なしで総消費電力を管理できる。
【図面の簡単な説明】
【００１２】
【図１】本発明の一実施形態にかかる情報処理システム１００の全体構成図である。
【図２】管理サーバー１０が一般的なコンピューターにより構成される場合の構成図である。
【図３】消費電力テーブル１７ａの例を示す図である。
【図４】消費電力上限値リスト１７ｂの例を示す図である。
【図５】画像形成装置２０の構成を概略的に示す構成図である。
【図６】情報処理システム１００における処理の流れについて説明するためのフローチャートである。
【発明を実施するための形態】
【００１３】
以下、図面を参照しながら、本発明の実施形態を説明する。
【００１４】
［全体構成］
最初に、本発明の一実施形態にかかる情報処理システム１００の全体構成を説明する。図１は、本発明の一実施形態にかかる情報処理システム１００の全体構成図である。
【００１５】
情報処理システム１００は、ネットワーク接続された管理サーバー１０と１以上の画像形成装置（ＭＦＰ、Multifunction Peripheral）２０を含んで構成される。
【００１６】
管理サーバー１０は、接続された画像形成装置２０を管理するサーバーである。特に画像形成装置２０の総消費電力が予め設定された上限値を超えないように、消費電力を管理する。
【００１７】
管理サーバー１０は、定期的に管理下にある画像形成装置２０に対し、ＳＮＭＰ（Simple Network Management Protocol）ポーリングを行い、画像形成装置２０の状態（オンライン状態、スリープ状態、ディープスリープ状態、またはオフ状態）に関する情報を収集する。
【００１８】
そして、収集した画像形成装置２０の状態に関する情報に基づいて、総消費電力を推定し、総消費電力が上限値を超えている場合は、オンライン状態にある画像形成装置２０をスリープ状態またはオフ状態にリモートで移行させ、総消費電力を削減する。
【００１９】
なお、画像形成装置２０は、図に示すように、２つ以上の画像形成装置２０をグループにまとめて管理してもよい。この場合、管理サーバー１０は、グループごとに定められた総消費電力の上限値を超えないように、グループ内の画像形成装置２０の状態を変更して総消費電力を管理する。
【００２０】
以上、本発明の一実施形態にかかる情報処理システム１００の全体構成について説明した。
【００２１】
［管理サーバーの構成］
次に、管理サーバー１０の構成について説明する。管理サーバー１０は、専用のハードウェアやソフトウェアにより構成されていてもよいし、一般的なコンピューターにより構成されてもよい。管理サーバー１０が一般的なコンピューターにより構成される場合の構成図を図２に示す。
【００２２】
同図に示すように、管理サーバー１０は、ＣＰＵ（Central Processing Unit）１１、ＲＯＭ（Read Only Memory）１２、ＲＡＭ（Random Access Memory）１３、操作入力部１４、通信部１５（第１の通信部）、表示部１６、および記憶部１７を有し、これら各ブロックがバス１８を介して接続されている。
【００２３】
ＲＯＭ１２は、各種の処理を実行するためのファームウェア等の複数のプログラムやデータを記憶する。ＲＡＭ１３は、ＣＰＵ１１の作業用領域として用いられ、ＯＳ（Operating System）、実行中の各種アプリケーション、処理中の各種データを一時的に保持する。
【００２４】
記憶部１７は、例えばＨＤＤ（Hard Disk Drive）や、フラッシュメモリー、その他の不揮発性メモリーである。記憶部１７には、ＯＳや各種アプリケーション、各種データ、消費電力テーブル１７ａ、および消費電力上限値リスト１７ｂが記憶される。消費電力テーブル１７ａおよび消費電力上限値リスト１７ｂについては後述する。
【００２５】
通信部１５は、ネットワーク上の画像形成装置２０等と情報のやりとりを行う為のネットワークと結ばれている。
【００２６】
ＣＰＵ１１は、ＲＯＭ１２や記憶部１７に格納された複数のプログラムのうち、操作入力部１４から与えられる命令に対応するプログラムをＲＡＭ１３に展開し、この展開されたプログラムにしたがって、表示部１６及び記憶部１７を適宜制御する。
【００２７】
操作入力部１４は、例えばマウス等のポインティングデバイス、キーボード、タッチパネル、その他の操作装置である。
【００２８】
表示部１６は、例えば液晶ディスプレイ、ＥＬ（Electro-Luminescence）ディスプレイ、プラズマディスプレイ等である。
【００２９】
次に、ＣＰＵ１１においてプログラムが実行されることにより実現される機能ブロックについて説明する。
【００３０】
管理サーバー１０のＣＰＵ１１において実現される機能ブロックは、状態情報取得部１１ａ、総消費電力推定部１１ｂ、および消費電力削減指示部１１ｃである。
【００３１】
状態情報取得部１１ａは、管理サーバー１０の管理下にある画像形成装置２０から、ＳＮＭＰポーリングにより画像形成装置２０のオンライン状態、スリープ状態、ディープスリープ状態、またはオフ状態を含む状態に関する情報（状態情報）を収集し取得する。なお、状態情報取得部１１ａは、画像形成装置の状態情報だけではなく、ジョブの実行中有無、画像形成装置の使用履歴、画像形成装置の前回のジョブ実行時間、または画像形成装置の機能・能力、等を取得しても良い。
【００３２】
総消費電力推定部１１ｂは、収集された状態情報と、画像形成装置２０の状態ごとの消費電力が記述された消費電力テーブル１７ａに基づき、画像形成装置２０ごと、またはグループごとの総消費電力を推定する。
【００３３】
消費電力削減指示部１１ｃは、総消費電力推定部１１ｂにより推定された総消費電力が、消費電力上限値リスト１７ｂに記述された上限値を超えている場合、上限値を超えた画像形成装置２０またはグループ内の画像形成装置２０に対し、消費電力削減指示を出す。
【００３４】
なお、消費電力削減指示を受け取った画像形成装置２０は、自身の状態を（１）オンライン状態からスリープ状態、ディープスリープ状態、またはオフ状態に移行、（２）スリープ状態からディープスリープ状態またはオフ状態に移行、（３）ディープスリープ状態からオフ状態に移行させることにより、総消費電力の削減を図る。
【００３５】
なお、１つのグループで総消費電力が上限値を超えている場合、例えば、消費電力削減指示を送信する候補のオンライン状態の画像形成装置がグループ内に複数存在する場合は、状態情報の問い合わせの結果、オンライン状態ではあるがジョブの実行中ではない画像形成装置に対して、最優先して消費電力削減指示を送信する。
【００３６】
ただし、オンライン状態ではあるがジョブの実行中ではない画像形成装置は、まさしくジョブの実行開始される直前の状態である可能性が高く、このような場合は、画像形成装置の表示パネルに省エネのためジョブの実行が延期される旨を所定時間、表示させてから消費電力の少ない状態に移行させることで、ユーザーに対してジョブが実行できない理由を知らせることが可能となる。
【００３７】
また、オンライン状態（ジョブ実行中でない）、スリープ状態、またはディープスリープ状態の画像形成装置をさらに消費電力の少ない状態に移行させる場合、例えば、（１）定められた優先順位の画像形成装置に対して、（２）所定期間の使用履歴が少ない画像形成装置に対して、または（３）前回のジョブ実行時からの経過時間が大きい画像形成装置に対して、（４）カラー印刷等の実行可能機能の少ない画像形成装置に対して、（５）印刷速度が遅い等の能力の低い画像形成装置に対して、（６）フィニッシャー、大容量カセット等のオプション装置が装着されていない画像形成装置に対して、優先して消費電力削減指示を送信する。
【００３８】
以上、管理サーバー１０の構成について説明した。
【００３９】
［消費電力テーブルについて］
次に、消費電力テーブル１７ａについて説明する。図３は、消費電力テーブル１７ａの例を示す図である。
【００４０】
図に示すように、消費電力テーブル１７ａでは、画像形成装置２０のモデルごと、状態ごとの消費電力が記述されている。
【００４１】
例えば、モデルＡの画像形成装置２０では、オンライン状態の時の消費電力が５００Ｗ、スリープ時の消費電力が５０Ｗ、ディープスリープ時の消費電力が２０Ｗ、オフ時の消費電力が０Ｗである。
【００４２】
総消費電力推定部１１ｂが、画像形成装置２０の状態情報と、消費電力テーブル１７ａの記述から、画像形成装置２０ごとの消費電力を推定する。
【００４３】
状態情報と消費電力テーブル１７ａを用いることにより、電力計が無くても画像形成装置２０の消費電力を推定することが出来る。
【００４４】
以上、消費電力テーブル１７ａについて説明した。
【００４５】
［消費電力上限値リストについて］
次に、消費電力上限値リスト１７ｂについて説明する。図４は、消費電力上限値リスト１７ｂの例を示す図である。
【００４６】
図に示すように、消費電力上限値リスト１７ｂでは、画像形成装置２０ごと、または画像形成装置２０が所属するグループごとの総消費電力の上限値が定められている。
【００４７】
例えば、グループ１には、画像形成装置２０のモデルＡ、モデルＣ、モデルＦが所属しているが、３つの画像形成装置２０がオンライン状態の場合の総消費電力は２０００Ｗであり、定められた上限値１５００Ｗを超えてしまう。そのため、消費電力削減指示部１１ｃが、例えばモデルＡをオフ状態にする指示を出すことにより、グループ１の総消費電力を１５００Ｗ以下に抑えることが出来る。
【００４８】
以上、消費電力上限値リスト１７ｂについて説明した。
【００４９】
［画像形成装置の構成］
次に、画像形成装置２０の構成について説明する。図５は画像形成装置２０の構成を概略的に示す構成図である。
【００５０】
画像形成装置２０は、制御部２１を備える。制御部２１は、ＣＰＵ、ＲＡＭ、ＲＯＭ、および専用のハードウェア回路等から構成され、画像形成装置２０の全体的な動作制御を司る。
【００５１】
制御部２１は、原稿読取部２２、画像処理部２３、画像メモリー２４、画像形成部２５、操作部２６、表示部２６ａ、ファクシミリ通信部２７、通信部２８（第２の通信部）、記憶部２９等と接続されている。制御部２１は、接続されている上記各部の動作制御や、各部との間での信号又はデータの送受信を行う。
【００５２】
制御部２１は、ユーザーから、操作部２６またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００５３】
また、制御部２１は、状態情報送信部２１ａ、消費電力削減指示受信部２１ｂ、および状態変更部２１ｃを有している。状態情報送信部２１ａ、消費電力削減指示受信部２１ｂ、および状態変更部２１ｃは、ＲＯＭなどからＲＡＭにロードされたプログラムがＣＰＵにより実行されることで実現される機能ブロックである。
【００５４】
状態情報送信部２１ａは、管理サーバー１０からのＳＮＭＰポーリング（問合せ）に対し、自装置の状態を状態情報として返信する。
【００５５】
消費電力削減指示受信部２１ｂは、管理サーバー１０からの消費電力削減指示を受信する。
【００５６】
状態変更部２１ｃは、消費電力削減指示受信部２１ｂが受信した、管理サーバー１０からの消費電力削減指示に基づき、自装置の状態を、オンライン状態、スリープ状態などから、より消費電力の少ない状態へと移行させる。
【００５７】
原稿読取部２２は、原稿から画像を読み取る。
【００５８】
画像処理部２３は、原稿読取部２２で読み取られた画像の画像データを必要に応じて画像処理する。例えば、画像処理部２３は、原稿読取部２２により読み取られた画像が画像形成された後の品質を向上させるために、シェーディング補正等の画像処理を行う。
【００５９】
画像メモリー２４は、原稿読取部２２による読み取りで得られた原稿画像のデータを一時的に記憶したり、画像形成部２５での印刷対象となるデータを一時的に記憶したりする領域である。
【００６０】
画像形成部２５は、原稿読取部２２で読み取られた画像データ等の画像形成を行う。
【００６１】
操作部２６は、画像形成装置２０が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部２６ａを備えている。
【００６２】
ファクシミリ通信部２７は、図示しない符号化／復号化部、変復調部、およびＮＣＵ（Network Control Unit）を備え、公衆電話回線網を用いてのファクシミリの送信を行う。
【００６３】
通信部２８は、ＬＡＮボード等の通信モジュールから構成され、通信部２８に接続されたＬＡＮ等を介して、管理サーバー１０など、ローカルエリア内の装置と種々のデータの送受信を行う。
【００６４】
記憶部２９は、原稿読取部２２によって読み取られた原稿画像などを記憶する。記憶部２９は、ＨＤＤなどの大容量の記憶装置である。
【００６５】
以上、画像形成装置２０の構成について説明した。
【００６６】
［処理の流れ］
次に、情報処理システム１００における処理の流れについて説明する。図６は、情報処理システム１００における処理の流れについて説明するためのフローチャートである。
【００６７】
まず、管理サーバー１０の状態情報取得部１１ａが、ＳＮＭＰポーリングにより、管理下にある画像形成装置２０のそれぞれに状態情報を問い合わせ、ポーリングされた画像形成装置２０の状態情報送信部２１ａが、自装置の状態を状態情報として返信する（ステップＳ１）。
【００６８】
次に、総消費電力推定部１１ｂが、収集された状態情報と消費電力テーブル１７ａに基づき、画像形成装置２０ごと、またはグループごとの総消費電力を推定する（ステップＳ２）。
【００６９】
次に、消費電力削減指示部１１ｃが、前ステップで推定された消費電力と、消費電力上限値リスト１７ｂに記述された消費電力の上限値とを比較し、推定した消費電力が上限値を超えているか否かを判断する（ステップＳ３）。
【００７０】
上限値を超えていない場合（ステップＳ３のＮ）、ステップＳ１に戻り処理を継続する。
【００７１】
上限値を超えている場合（ステップＳ３のＹ）、消費電力削減指示部１１ｃが、上限値を超えた画像形成装置２０またはグループ内の画像形成装置２０に対し、消費電力削減指示を送信する（ステップＳ４）。
【００７２】
次に、消費電力削減指示が送信された画像形成装置２０の消費電力削減指示受信部２１ｂが、管理サーバー１０からの消費電力削減指示を受信し、状態変更部２１ｃが、消費電力削減指示に基づき、自装置の状態を、オンライン状態、スリープ状態などから、より消費電力の少ない状態へと移行させる（ステップＳ５）。状態を移行させた後、ステップＳ１に戻り処理を継続する。
【００７３】
以上、情報処理システム１００における処理の流れについて説明した。
【００７４】
［補足事項］
以上のように、本発明にかかる情報処理装置１００は、ネットワーク接続された、管理サーバー１０と、前記管理サーバー１０により管理される１以上の画像形成装置２０とを含み、前記管理サーバー１０は、前記１以上の画像形成装置２０と通信可能な第１の通信部１５と、前記１以上の画像形成装置２０のモデルごと、前記１以上の画像形成装置２０の状態ごとの消費電力が記述されている消費電力テーブル１７ａと、前記１以上の画像形成装置２０ごとの総消費電力の上限値が定められている消費電力上限値リスト１７ｂとが記憶された記憶部１７と、前記１以上の画像形成装置２０の各々から画像形成装置２０の状態に関する情報を状態情報として収集する状態情報取得部１１ａと、収集された状態情報と、前記消費電力テーブル１７ａに基づき、前記１以上の画像形成装置２０ごとの総消費電力を推定する総消費電力推定部１１ｂと、前記推定された総消費電力が、前記消費電力上限値リスト１７ｂに記述された上限値を超えている場合、上限値を超えた画像形成装置２０に対し、消費電力削減指示を出す消費電力削減指示部１１ｃとを備え、前記１以上の画像形成装置２０の各々は、前記管理サーバー１０と通信可能な第２の通信部２８と、前記管理サーバー１０からの問合せに対し、自装置の状態を前記状態情報として返信する状態情報送信部２１ａと、前記管理サーバー１０からの前記消費電力削減指示を受信する消費電力削減指示受信部２１ｂと、受信した前記消費電力削減指示に基づき自装置の状態をより消費電力の少ない状態へ移行させる状態変更部２１ｃとを備える。
【００７５】
そのため、電力計なしで総消費電力を管理できる。
【００７６】
その他、本発明は、上述の実施形態にのみ限定されるものではなく、本発明の要旨を逸脱しない範囲内において種々変更を加え得ることは勿論である。
【符号の説明】
【００７７】
１０  …  管理サーバー
１１  …  ＣＰＵ
１１ａ…  状態情報取得部
１１ｂ…  総消費電力推定部
１１ｃ…  消費電力削減指示部
１２  …  ＲＯＭ
１３  …  ＲＡＭ
１４  …  操作入力部
１５  …  通信部
１６  …  表示部
１７  …  記憶部
１７ａ…  消費電力テーブル
１７ｂ…  消費電力上限値リスト
１８  …  バス
２０  …  画像形成装置
２１  …  制御部
２１ａ…  状態情報送信部
２１ｂ…  消費電力削減指示受信部
２１ｃ…  状態変更部
２２  …  原稿読取部
２３  …  画像処理部
２４  …  画像メモリー
２５  …  画像形成部
２６  …  操作部
２６ａ…  表示部
２７  …  ファクシミリ通信部
２８  …  通信部
２９  …  記憶部
１００  …  情報処理システム
【図１】
2019077076.tif 000003
【図２】
2019077076.tif 000004
【図３】
2019077076.tif 000005
【図４】
2019077076.tif 000006
【図５】
2019077076.tif 000007
【図６】
2019077076.tif 000008